(57)【要約】  スピーカ装置において、第１のサウンドトランスデューサ（１０１）は低周波数範囲でサウンドを再生し、第１の軸方向（１０９）を有する。第２のサウンドトランスデューサ（１０３）は低周波数範囲でサウンドを再生し、第２の軸方向（１１１）を有する。第３のサウンドトランスデューサ（１０５）は高周波数範囲でサウンドを再生し、第３の軸方向（１１３）を有する。第３のサウンドトランスデューサ（１０５）は、第１のサウンドトランスデューサ（１０１）及び第２のサウンドトランスデューサ（１０３）との間に配置される。さらに、第１の軸方向（１０９）と第２の軸方向（１１１）の間の第１の角度は２０°と１２０°との間であり、第１の軸方向（１０９）と第３の軸方向（１１１）の間の第２の角度は第１の角度より小さい。この装置は、サウンドステージが広いサウンドをレンダリングし、点音源へのよい近似を提供できる。
2014519293.tif 000002
【特許請求の範囲】
【請求項１】
低周波数範囲でサウンドを再生し、第１の軸方向と第１の中心点とを有する第１のサウンドトランスデューサと、
前記低周波数範囲でサウンドを再生し、第２の軸方向と第２の中心点とを有する第２のサウンドトランスデューサと、
高周波数範囲でサウンドを再生し、第３の軸方向と第３の中心点とを有する第３のサウンドトランスデューサと、を有するスピーカ装置であって、
第３のサウンドトランスデューサは、前記第１のサウンドトランスデューサ及び前記第２のサウンドトランスデューサとの間に配置され、
前記第１の軸方向と前記第２の軸方向の間の第１の角度は２０°と１２０°との間であり、
前記第１の軸方向と前記第３の軸方向の間の第２の角度は前記第１の角度より小さい、
スピーカ装置。
【請求項２】
前記第２の角度は前記第１の角度の２５％より小さくない、請求項１に記載のスピーカ装置。
【請求項３】
前記第２の角度は前記第１の角度の７５％より大きくない、請求項１に記載のスピーカ装置。
【請求項４】
前記低い方の周波数レンジと高い方の周波数レンジとの間のクロスオーバ周波数は、音速を、前記第１の音響中心と前記第２の音響中心との間の距離で割って２をかけたものよりも高くない、請求項１に記載のスピーカ装置。
【請求項５】
前記第１、第２及び第３のサウンドトランスデューサを駆動する駆動回路をさらに有し、
前記駆動回路は、前記第１のサウンドトランスデューサに対して前記第３のサウンドトランスデューサの遅延を提供する、請求項１に記載のスピーカ装置。
【請求項６】
前記遅延は前記第３の音響中心と、前記第１の音響中心と前記第２の音響中心との間の中点との間の長さを音速で割ったものに対応する名目的遅延の２倍より大きくない、請求項５に記載のスピーカ装置。
【請求項７】
前記遅延は前記名目的遅延の７０％より小さくなく、前記名目的遅延の１３０％より大きくない、請求項６に記載のスピーカ装置。
【請求項８】
前記駆動回路は、前記第１のサウンドトランスデューサと前記第２のサウンドトランスデューサとをほぼ同じに駆動するように構成される、請求項５に記載のスピーカ装置。
【請求項９】
さらに筐体を有し、前記筐体は、
前記第１のサウンドトランスデューサが取り付けられる第１のバッフルと、
前記第２のサウンドトランスデューサが取り付けられる、前記第１のバッフルに対して角度をなす第２のバッフルと、
前記第３のサウンドトランスデューサが取り付けられる、前記第１のバッフルと前記第２のバッフルとの間の移行を提供する第３のバッフルとを有する、請求項１に記載のスピーカ装置。
【請求項１０】
前記第３の軸方向と、前記第１の音響中心及び前記第２の音響中心の間の軸とに直角な前記第３のバッフルの寸法は、前記第１の軸方向と、前記第１の音響中心及び前記第２の音響中心の間の軸とに直角な前記第１のバッフルの寸法より小さい、請求項９に記載のスピーカ装置。
【請求項１１】
前記第１のバッフル、第２のバッフル、第３のバッフルのうち少なくとも１つは、曲がったプロファイルを有する、請求項９に記載のスピーカ装置。
【請求項１２】
前記第３のバッフルと前記第３のサウンドトランスデューサは、前記第１のサウンドトランスデューサと前記第２のサウンドトランスデューサとに対して対称である、請求項９に記載のスピーカ装置。
【請求項１３】
前記第１の音響中心と前記第２の音響中心との間の距離は、前記第１の音響トランスデューサの最大寸法の３倍より小さい、請求項１に記載のスピーカ装置。
【請求項１４】
前記第１のサウンドトランスデューサと前記第２のサウンドトランスデューサとの間の最小距離は、前記第３のサウンドトランスデューサの最大寸法の３倍より小さい、請求項１に記載のスピーカ装置。
【請求項１５】
スピーカ装置を提供する方法であって、
低周波数範囲でサウンドを再生し、第１の軸方向を有する第１のサウンドトランスデューサを設ける段階と、
低周波数範囲でサウンドを再生し、第２の軸方向を有する第２のサウンドトランスデューサを設ける段階と、
高周波数範囲でサウンドを再生し、第３の軸方向を有する第３のサウンドトランスデューサを設ける段階と、を有し、
第３のサウンドトランスデューサは、前記第１のサウンドトランスデューサ及び前記第２のサウンドトランスデューサとの間に配置され、
前記第１の軸方向と前記第２の軸方向の間の第１の角度は２０ーと１２０ーとの間であり、
前記第１の軸方向と前記第３の軸方向の間の第２の角度は前記第１の角度より小さい、方法。
【発明の詳細な説明】
【技術分野】
【０００１】
本発明はスピーカ装置に関し、特に点音源オーディオ再生に近いスピーカに関するが、これに限定されるものではない。
【背景技術】
【０００２】
電子信号からのオーディオ再生は今日の社会ではどこでも行われている。レンダリングされたサウンドを発生するのに重要な動作は、サウンドトランスデューサにより行われる電気信号から音響信号への変換である。
【０００３】
多くのオーディオアプリケーションにおいて、理想的なサウンドラジエータ（sound  radiator）は、大きさのない、全帯域幅、無指向性の振動球面であり、点音源とも呼ばれる。しかし、このようなサウンド放射特性を実現することは実際には不可能であり、要求どうしが衝突するため、このような理想的なサウンド発生に近づけようとする試みは困難であることが分かっている。例えば、超小型スピーカ（すなわち大きさのないスピーカに近いもの）が、大きなサウンドレベルで低音周波数を再生するのに必要となる大量の空気を動かすことは難しい。
【０００４】
従来のスピーカボックスには、２つ以上のトランスデューサが含まれている。これらのトランスデューサは、垂直に並べられ、周波数が重なる領域では同じ周波数範囲の再生をうけもっている。そのためスピーカは非常に指向的となり、垂直面で強い干渉パターンを示す。
【０００５】
特許文献１は、従来のスピーカの欠点の一部を解決し、点音源オーディオレンダリングを提供するラウドスピーカ装置を開示している。特許文献１のスピーカ装置は、非常に広く一様なサウンドの広がりを提供し、広いサウンドステージと広いスイートスポットを提供する。しかし、このスピーカ装置により提供されるサウンド再生は、すべてのシナリオで完全であるとは言えず、それゆえさらに改良が望まれる。
【０００６】
したがって、スピーカ装置を改良する利益がある。特に、小型で、低コストで、製造が容易で、デザインに柔軟性があり、音質がよく、配置が容易で、点音源に近く、性能がよいスピーカ装置が好ましい。
【先行技術文献】
【特許文献】
【０００７】
【特許文献１】欧州特許第０９７５６８２０
【発明の概要】
【０００８】
従って、本発明は、好ましくは、単独でまたは組み合わされて、上記の１つ以上の不利な点を緩和もしくは解消するものである。
【０００９】
本発明の一態様では、スピーカ装置が提供される。該スピーカ装置は、低周波数範囲でサウンドを再生し、第１の軸方向と第１の音響中心とを有する第１のサウンドトランスデューサと、前記低周波数範囲でサウンドを再生し、第２の軸方向と第２の中心点とを有する第２のサウンドトランスデューサと、高周波数範囲でサウンドを再生し、第３の軸方向と第３の中心点とを有する第３のサウンドトランスデューサと、を有するスピーカ装置であって、第３のサウンドトランスデューサは、前記第１のサウンドトランスデューサ及び前記第２のサウンドトランスデューサとの間に配置され、前記第１の軸方向と前記第２の軸方向の間の第１の角度は２０°と１２０°との間であり、第１の軸方向と第３の軸方向の間の第２の角度は第１の角度より小さい。
【００１０】
本発明はスピーカ装置を改良するものであり得る。具体的に、多くの実施形態において、音質を改良し得る。このスピーカ装置は、低周波数が（天井などによる）反射及び直接の経路の両方を介してリスナに到達するようにし、レンダリングされるサウンドのフォーカスを改善し、レンダリングされるサウンドの知覚されるインパクトを改善する。さらに、視聴環境の特性に対する敏感さを、低周波数スピーカを上向き構成で用いるスピーカ装置など多くのスピーカ装置と比較して、低減できる。同時に、本スピーカ装置は、従来のラウドスピーカ装置と比較して、広く均一なサウンドの広がりを提供し、広いサウンドステージと広いスイートスポットを提供する。多くの実施形態において、低度の垂直干渉が実現できる。
【００１１】
多くの実施形態において、例えば、ブックシェルフ型のスピーカ実装に好適な小型のスピーカ装置を実現できる。多くのシナリオで、音質を改良し得る。特に、点音源特性を改良し得る。指向性サウンドと無指向性サウンド間のトレードオフを改良でき、フォーカスの効いた音像を生成しつつ、点音源に近いものとして聞こえる。
【００１２】
低周波数レンジと高周波数レンジは、クロスオーバ周波数により分割され、低周波数レンジはクロスオーバ周波数より低い周波数を含み、高周波数レンジはクロスオーバ周波数より高い周波数を含む。
【００１３】
クロスオーバ周波数は、無響状態で測定したときに、第２のサウンドトランスデューサから１メートルの距離において音圧レベルを測定したとき、第１と第２のサウンドトランスデューサが第３のサウンドトランスデューサと同じ音圧レベルとなる周波数である。
【００１４】
サウンドトランスデューサの音響中心は、具体的には、レンダリングされたオーディオがそこから発せられたと感じられる点である。
【００１５】
第１のサウンドトランスデューサは高効率ツイータであってもよい。スピーカ装置は、さらに、入力オーディオ信号から、第１のトランスデューサに低周波数駆動信号を供給し、第２のトランスデューサに高周波数駆動信号を供給する駆動回路を有する。
【００１６】
サウンドトランスデューサの軸方向（on-axis  direction）は具体的には対称放射軸である。例えば、サウンドトランスデューサは回転不変すなわち軸上方向について対称である。軸方向はサウンドトランスデューサの最大サウンド出力の方向であってもよい。このように、軸方向は、最大サウンドエネルギーが放射される方向に一致することもある。軸方向はサウンドトランスデューサの中心を通る軸で定義してもよい。
【００１７】
第１と第２のサウンドトランスデューサは、同じ駆動信号を受け取るように構成できる。具体的に、第１と第２のサウンドトランスデューサは、並列構成で結合されている。
【００１８】
多くの実施形態において、低周波数の再生をよくしつつ、コンパクトラウドスピーカ装置が実現できる。実際、多くの実施形態において、サウンドトランスデューサは４０リットルより小さい体積を有する筐体に取り付けられる。
【００１９】
本発明の任意的特徴によれば、第２の角度は大１の角度の２５％より小さくない。
【００２０】
これにより多くのシナリオでは性能が向上する。特に、サウンド放射の干渉、拡散、及び／または指向性が有利になり、知覚されるサウンドステージが改善される。
【００２１】
本発明の任意的特徴によれば、第２の角度は第１の角度の７５％より大きくない。
【００２２】
これにより多くのシナリオでは性能が向上する。特に、サウンド放射の干渉、拡散、及び／または指向性が有利になり、知覚されるサウンドステージが改善される。
【００２３】
多くの実施形態において、第２の角度は、有利にも、第１の角度の２５％より小さくなく、７５％より大きくない。
【００２４】
本発明の任意的特徴によれば、前記低い方の周波数レンジと高い方の周波数レンジとの間のクロスオーバ周波数は、音速を、前記第１の音響中心と前記第２の音響中心との間の距離で割って２をかけたものよりも高くない。
【００２５】
同様に、多くの実施形態において、第１の音響中心と第２の音響中心との間の距離は、低周波数レンジと高周波数レンジとの間のクロスオーバ周波数の波長の２倍より大きくない。
【００２６】
これにより、多くの実施形態において、性能が向上し、特に、第１と第２のサウンドトランスデューサがほぼ単一音源として知覚される。第１と第２のサウンドトランスデューサの干渉特性の改善が実現できる。特に、多くのシナリオにおいて、放射されるサウンド波間の破壊的干渉を防止または低減できる。
【００２７】
本発明の任意的特徴によると、スピーカ装置は、さらに、第１、第２、及び第３のサウンドトランスデューサを駆動する駆動回路を有する。この駆動回路は、前記第１のサウンドトランスデューサに対して前記第３のサウンドトランスデューサの遅延を提供できる。
【００２８】
これにより、多くの実施形態では、性能がよくなり、特に、高音質サウンド再生ができるスピーカ装置を提供でき、点音源サウンド放射への近似がよくなる。特に、このアプローチにより、（ほぼ）時間的にコヒーレントなサウンド放射が提供され、スピーカ装置が単一点音源として知覚される。
【００２９】
本発明の任意的特徴によると、前記遅延は前記第３の音響中心と、前記第１の音響中心と前記第２の音響中心との間の中点との間の長さを音速で割ったものに対応する名目的遅延の２倍より大きくない。
【００３０】
これにより、多くの実施形態において、性能が改善され、特に、時間的コヒーレンシが改善され、点音源によりよく近似できる。
【００３１】
本発明の任意的特徴によると、前記遅延は前記名目的遅延の７０％より小さくなく、前記名目的遅延の１３０％より大きくない。
【００３２】
これにより、多くの実施形態において、性能が改善され、特に、時間的コヒーレンシが改善され、点音源によりよく近似できる。
【００３３】
本発明の任意的特徴によると、前記駆動回路は、前記第１のサウンドトランスデューサと前記第２のサウンドトランスデューサとをほぼ同じに駆動するように構成される。
【００３４】
これにより、性能が改善し、特に、レンダリングされるサウンドが高音質であり、サウンドステージが広く分散し、インパクトが高いと知覚され、拡散していると知覚されることはない。本アプローチにより、干渉特性が改善し、点音源近似がよくなる。
【００３５】
本発明の任意的特徴によると、スピーカ装置はさらに筐体を有し、該筐体は、前記第１のサウンドトランスデューサが取り付けられる第１のバッフルと、前記第２のサウンドトランスデューサが取り付けられる、前記第１のバッフルに対して角度をなす第２のバッフルと、前記第３のサウンドトランスデューサが取り付けられる、前記第１のバッフルと前記第２のバッフルとの間の移行を提供する第３のバッフルとを有する。
【００３６】
これにより、実施が容易になり、及び／またはオーディオ性能がよくなる。
【００３７】
本発明の任意的特徴によると、前記第３の軸方向と、前記第１の音響中心及び前記第２の音響中心の間の軸とを含む平面に直角な前記第３のバッフルの寸法は、前記第１の軸方向と、前記第１の音響中心及び前記第２の音響中心の間の軸とを含む平面に直角な前記第１のバッフルの寸法より小さい。
【００３８】
これにより、多くの実施形態において性能が改善し、特に、第３のサウンドトランスデューサの後方向への放射が反射され、前方向にフォーカスされる効果が低減されうる。これは望ましくない反射を減衰させる。
【００３９】
本発明の任意的特徴によると、前記第１のバッフル、第２のバッフル、第３のバッフルのうち少なくとも１つは、曲がったプロファイルを有する。
【００４０】
これにより、多くの実施形態において性能が改善し、特に、第３のサウンドトランスデューサの後方向への放射が反射され、前方向にフォーカスされる効果が低減されうる。これは望ましくない反射を減衰させる。
【００４１】
本発明の任意的特徴によると、前記第３のバッフルと前記第３のサウンドトランスデューサは、前記第１のサウンドトランスデューサと前記第２のサウンドトランスデューサとに対して対称である。
【００４２】
これにより、実施が容易になり、及び／またはオーディオ性能がよくなる。
【００４３】
本発明の任意的特徴によると、前記第１の音響中心と前記第２の音響中心との間の距離は、前記第１の音響トランスデューサの最大寸法の３倍より小さい。
【００４４】
これにより、多くの実施形態では、性能がよくなり、特に、時間的にコヒーレントなサウンド放射を提供し、点音源放射近似が改善するスピーカ装置を提供できる。特に、本特徴により、トランスデューサ間の干渉が低減し、音像認識が改善される。
【００４５】
本発明の任意的特徴によると、第１と第２のサウンドトランスデューサの間の最小距離は、第３のサウンドトランスデューサの最大寸法の３倍より小さい。
【００４６】
これにより、多くの実施形態では、性能がよくなり、特に、時間的にコヒーレントなサウンド放射を提供し、点音源放射近似が改善するスピーカ装置を提供できる。特に、本特徴により、トランスデューサ間の干渉が低減し、音像認識が改善される。
【００４７】
本発明の一態様では、スピーカ装置を提供する方法を提供する。該方法は、低周波数範囲でサウンドを再生し、第１の軸方向と第１の音響中心とを有する第１のサウンドトランスデューサを提供する段階と、前記低周波数範囲でサウンドを再生し、第２の軸方向と第２の中心点とを有する第２のサウンドトランスデューサを提供する段階と、高周波数範囲でサウンドを再生し、第３の軸方向と第３の中心点とを有する第３のサウンドトランスデューサを提供する段階とを有し、第３のサウンドトランスデューサは、前記第１のサウンドトランスデューサ及び前記第２のサウンドトランスデューサとの間に配置され、前記第１の軸方向と前記第２の軸方向の間の第１の角度は２０°と１２０°との間であり、第１の軸方向と第３の軸方向の間の第２の角度は第１の角度より小さい。
【００４８】
本発明の上記その他の態様、特徴、及び利点を、以下に説明する実施形態を参照して明らかにして説明する。
【図面の簡単な説明】
【００４９】
図面を参照して、本発明の実施形態を例示により説明する。
【図１】本発明の実施形態によるスピーカ装置の一例を示す図である。
【図２】本発明の実施形態によるスピーカ装置の一例を示す図である。
【図３】本発明の実施形態によるスピーカ装置の一例を示す図である。
【図４】本発明の実施形態によるスピーカ装置の一例を示す図である。
【図５】本発明の実施形態によるスピーカ装置の一例を示す図である。
【図６】本発明の実施形態によるスピーカ装置の一例を示す図である。
【図７】本発明の実施形態によるスピーカ装置の一例を示す図である。
【図８】本発明の実施形態によるスピーカ装置の一例の断面を示す図である。
【図９】本発明の実施形態によるスピーカ装置の一例の断面を示す図である。
【図１０】異なるスピーカ装置の指向性測定例を示す図である。
【図１１】異なるスピーカ装置の指向性測定例を示す図である。
【図１２】異なるスピーカ装置の指向性測定例を示す図である。
【図１３】異なるスピーカ装置の指向性測定例を示す図である。
【発明を実施するための形態】
【００５０】
図１と図２は、本発明の実施形態によるスピーカ装置の一例を示す。図１は断面図であり、図２は全面図である。
【００５１】
このスピーカ装置は、第１の低周波数（サウンド）トランスデューサ１０１を有する。このトランスデューサはこの例では低周波数ラウドスピーカである。このスピーカ装置は、さらに、第２の低周波数（サウンド）トランスデューサ１０３を有する。このトランスデューサはこの例では低周波数ラウドスピーカである。また、このスピーカ装置は、高周波数（サウンド）トランスデューサ１０５を有する。このトランスデューサはこの例では高周波数・高効率ツイータである。本システム中、サウンドトランスデューサ１０１，１０３，１０５は筐体１０７に取り付けられている。
【００５２】
この例では、第１の低周波数トランスデューサ１０１と第２の低周波数トランスデューサ１０３とは、実質的に同じトランスデューサである。具体的に、これらは同じタイプのトランスデューサであり、製造許容範囲内等で異なるだけである。しかし、言うまでもなく、他の実施形態では、第１の低周波数トランスデューサ１０１と第２の低周波数トランスデューサ１０３は同じユニットでなくてもよい。
【００５３】
２つの低周波数サウンドトランスデューサ１０１，１０３は、同じ周波数範囲においてサウンドをレンダリングするように構成され、具体的には同じ駆動信号で駆動される。高周波数サウンドトランスデューサ１０５は、２つの低周波数トランスデューサ１０１、１０３よりも高い周波数レンジでサウンドをレンダリングするように構成されている。例えば、本スピーカ装置は、図３に示したように、クロスオーバフィルタ３０１を有する。このクロスオーバフィルタ３０１は、低い方の周波数が２つの低周波数サウンドトランスデューサ１０１，１０３に送られ、一方高い方の周波数が高周波数サウンドトランスデューサ１０５に送られるように、入来信号をフィルタする。クロスオーバフィルタ３０１は、高周波数サウンドトランスデューサ１０５への経路のハイパスフィルタとして、及び低周波数トランスデューサ１０１、１０３への経路のローパスフィルタとして設計されていてもよい。
【００５４】
３つのサウンドトランスデューサ１０１、１０３、１０５は、このように、ツーウェイスピーカ装置であり、主に低周波数トランスデューサ１０１、１０３が低い方の周波数レンジのサウンドを発生し、主に高周波数トランスデューサ１０５が高い方の周波数レンジのサウンドを発生する。このスピーカ装置は、クロスオーバ周波数（cross-over  frequency）を有している。この周波数は、２つのトランスデューサ１０１、１０３及び高周波数サウンドトランスデューサ１０５がサウンドの発生に等しく貢献する周波数として定義される。特に、クロスオーバ周波数は、無響状態で測定したときに、低周波数トランスデューサ１０１、１０３と高周波数トランスデューサ１０５が、高周波数トランスデューサ１０１から１メートルの距離において、同じ音圧レベルを生成する周波数であると定義できる。
【００５５】
言うまでもなく、クロスオーバとツーウェイ駆動は、クロスオーバフィルタを明示的に導入することにより実装できる。しかし、低周波数サウンドトランスデューサ１０１，１０３と高周波数サウンドトランスデューサ１０５とによる周波数選択的駆動は、完全にまたは部分的に、サウンドトランスデューサ１０１，１０３，１０５の異なる周波数応答により決定できる。実際、ある実施形態では、駆動信号は並列にすべてのサウンドトランスデューサ１０１，１０３，１０５に直接送られ、クロスオーバ周波数は、トランスデューサの感度が同じであり、発生される音圧レベルが同じであるように周波数として、決定される。
【００５６】
具体的には、クロスオーバ周波数は、入力からサウンド測定位置まで、例えば第１の低周波数トランスデューサ１０１の１メートル前までの信号パスのクロスオーバ周波数として決定できる。ラウドスピーカ装置の駆動回路への入力で供給される信号に対して、低周波数サウンドトランスデューサ１０１，１０３が、高周波数サウンドトランスデューサ１０５と同じ音圧レベルを提供する周波数が、クロスオーバ周波数として決定される。クロスオーバ周波数より低い周波数を含む低い方の周波数レンジでは、低周波数サウンドトランスデューサ１０１，１０３は、強い音圧を提供し、サウンドレンダリングを支配する。クロスオーバ周波数より高い周波数を含む高い方の周波数レンジでは、低周波数サウンドトランスデューサ１０１，１０３は、強い音圧を提供し、サウンドレンダリングを支配する。
【００５７】
言うまでもなく、クロスオーバ周波数は、場合によっては、トランスデューサ１０１、１０３、１０５のアクティブ駆動回路１０５の特徴を含むように決定できる。このように、実施形態によっては、駆動回路をスピーカ装置の一部と考え、システムのクロスオーバ周波数を決定するときに、クロスオーバーフィルタの影響を考慮してもよい。
【００５８】
このように、本実施例では、スピーカ装置は、フィルタ３０１を有し、またはフィルタ３０１を介して駆動される。フィルタ３０１は、再生するオーディオ信号を受け取り、２つの低周波数トランスデューサ１０１、１０３と高周波数トランスデューサ１０５の個別の駆動信号を生成する。クロスオーバーフィルタ３０１は、入力信号のローパスフィルタリングを行い、低周波数トランスデューサ１０１、１０３用の駆動信号を発生し、入力信号のハイパスフィルタリングを行い、高周波数トランスデューサ１０５用の駆動信号を発生する。
【００５９】
言うまでもなく、以下の説明ではスピーカシステムがツーウェイシステムである実施形態にフォーカスするが、別の実施形態ではスリーウェイ以上のシステムを用いてもよい。例えば、別の実施形態では、図１の低周波数トランスデューサ１０１、１０３が分担する周波数範囲を、ミッドレンジスピーカとサブウーファなどの複数のスピーカで分担してもよい。
【００６０】
各トランスデューサは軸方向を有する。  サウンドトランスデューサの軸方向（on-axis  direction）は具体的には対称放射軸である。例えば、サウンドトランスデューサは回転不変すなわち軸方向について対称である。軸方向はサウンドトランスデューサの最大サウンド出力の方向であってもよい。このように、軸方向は、最大サウンドエネルギーが放射される方向に一致することもある。軸方向はサウンドトランスデューサの中心を通る軸で定義してもよい。
【００６１】
このスピーカ装置において、第１の低周波数トランスデューサ１０１と、第２の低周波数トランスデューサ１０３と、高周波数トランスデューサ１０５とは、それらの軸方向が互いに確度をなすように配置されている。さらに、高周波数サウンドトランスデューサ１０５は、第１の低周波数トランスデューサ１０１と第２の低周波数トランスデューサ１０３との間に配置される。
【００６２】
トランスデューサ１０１，１０３，１０５は、具体的に、第１の低周波数トランスデューサ１０１の軸方向１０９と、第２の低周波数トランスデューサ１０３の軸方向１１１との間の角度φＷが、２０°ないし１２０°であるように構成されている。さらに、第１の低周波数トランスデューサ１０１の軸方向１０９と、高周波数サウンドトランスデューサ１０５の軸方向１１３との間の角度φＴが、２つの低周波数サウンドトランスデューサ１０１、１０３の代打の軸方向の間の角度より小さい。
【００６３】
トランスデューサは、このように、異なる方向に放射するように構成され、低周波数サウンドは、高周波数サウンドトランスデューサ１０５からの放射のどちらかの側である２つの方向に向けられる。
【００６４】
さらにまた、３つのトランスデューサは、互いに非常に近く配置され、点音源に近い。
【００６５】
典型的な使用では、第１の低周波数トランスデューサ１０１の軸方向１０９は、水平方向に対応し、一般的にはユーザの方向に近い方向である。それゆえ、第１の低周波数トランスデューサ１０１は、リスナにほぼ直接的なサウンド放射を提供する。高周波数サウンドトランスデューサ１０５は、一般的に、少し上向きの角度であり、ユーザには直接向いていないサウンド放射を提供する。しかし、この装置は、一般的には、高周波数サウンドトランスデューサ１０５の角度が比較的控えめであり、反射サウンド放射と直接サウンド放射の両方が起こるようになっている。第１の低周波数トランスデューサ１０３は、どちらかと言えば上向き（upfiring）に配置され、それゆえより直接的ではないサウンド放射を提供する傾向があるが、天井、壁などからの反射が大きくなっている。
【００６６】
このシステムでは、サウンドトランスデューサは筐体１０７に取り付けられている。筐体１０７は、この例では、閉じた室（chamber）を形成している。筐体１０７は、このように閉じたボリュームでもよいし、例えば、バス反射ポートを含んでいてもよい。実際、筐体は、実施形態によっては、２以上の室を有し、個々の実施形態の好みや要求に合うように設計してもよい。
【００６７】
図１の例では、第１の低周波数トランスデューサ１０３は、前向きに配置されている。このように、スピーカ装置が使用状態（operational  configuration）であり、例えば、筐体１０７が床や壁などのほぼ水平面に置かれているとき、第１の低周波数トランスデューサ１０１の軸方向１０９は垂直方向とほぼ９０°の角度をなす、すなわちほぼ水平である。
【００６８】
第２の低周波数トランスデューサ１０３は、完全にまたは少し上向きに配置されている。このように、スピーカ装置が使用状態（operational  configuration）であり、例えば、筐体１０７は床や壁などのほぼ水平面に置かれているとき、低周波数トランスデューサ１０１の軸方向は水平方向とほぼ２０°ないし１２０°の角度をなす。
【００６９】
さらに、高周波数サウンドトランスデューサ１０５は、第１の低周波数トランスデューサ１０１の前向き（front  firing）構成と第２の低周波数トランスデューサ１０３の上向き構成（upfiring）の間に構成される。このように、スピーカ装置が使用状態（operational  configuration）であり、例えば、筐体１０７は床や壁などのほぼ水平面に置かれているとき、高周波数トランスデューサ１０５の軸方向は水平方向とほぼ２０°ないし１２０°の角度をなすが、第２の低周波数トランスデューサ１０３の角度より小さい角度をなす。
【００７０】
このように、本スピーカ装置は、低周波数範囲が同時に上方向と前方向に放射され、一般的には直接的な経路だけでなく様々な反射及び間接的経路を経てリスナに到達する。高い方の周波数レンジは、単一音源から、部分的に視聴位置に向けて、及び部分的に上向きに放射され、反射及び反響の大きいサウンドを提供する。
【００７１】
このように、本装置は、低周波数サウンドの同時サウンド放射を提供して、反射サウンド放射及び直接サウンド放射を両方とも生成し、高い方の周波数のサウンド放射はこれらの間の方向にある。組み合わせられたサウンド放射は、密接にインターラクトして、高音質に感じかつ有利な特性を有するサウンドレンダリングを提供する。
【００７２】
具体的には、本装置は、一般的には、広いサウンドステージと広いスイートスポットとを提供する。本装置は、トランスデューサ間の干渉が少なく、具体的には垂直干渉が少ない広く非常に均一なサウンド分布を提供する。同時に、本装置は、音響環境の変化からの影響を受けにくい（reduced  sensitivity）。本スピーカ装置は、点音源近似が非常に良く、ほぼ時間的にコヒーレントなサウンド放射を提供する。
【００７３】
本システムでは、第１の低周波数トランスデューサ１０５の軸方向１０９と、第２の低周波数トランスデューサの軸方向１１１との間の各φＷが２０°ないし１００°のレンジにあり、特に６０°ないし９０°のレンジにあるとき、特に有利な性能が見られる。また、高周波数サウンドトランスデューサ１０５が第１の低周波数トランスデューサ１０１及び第２の低周波数トランスデューサ１０３と異なる角度をなす時に、特に有利な性能が見られる。特に、第１の低周波数トランスデューサ１０１の軸方向１０９と第１の高周波数サウンドトランスデューサ１０５の軸方向１１３との間の角φＴが、第１の低周波数トランスデューサ１０１の軸方向１０９と第２の低周波数トランスデューサ１０３の軸方向１１１との間の角φＷの２０％ないし７５％のレンジにあるとき、特にφＷの４０％ないし６０％のレンジにあるとき、有利な性能が見られる。
【００７４】
これらの設計パラメータは、異なる特性間を有利にトレードオフし、特に有利なオーディオ知覚を提供するサウンドレンダリングを提供する。
【００７５】
多くの実施形態において、高周波数サウンドトランスデューサ１０５が第１の低周波数トランスデューサ１０１及び第２の低周波数トランスデューサ１０３に対して対称的な角度を有することにより、特に有利な構成が提供される。このように、多くの実施形態では、角φＴは角φＷのほぼ半分である。
【００７６】
この例では、ラウドスピーカは、３つのトランスデューサ１０１，１０３、１０５が取り付けられる３つのバッフルを有する。各サウンドトランスデューサは、このように、サポート構造または表面（バッフル）に取り付けられる。この例では、第２の低周波数トランスデューサ１０３のバッフルと、高周波数サウンドトランスデューサ１０５のバッフルとが、第１の低周波数サウンドトランスデューサ１０１のバッフルに対して角度を有する点を除き、筐体は箱形である。高周波数サウンドトランスデューサ１０５のバッフルは、第１の低周波数トランスデューサ１０１のバッフルと、第２の低周波数トランスデューサ１０３のバッフルとの間に配置される。このように、高周波数サウンドトランスデューサバッフルは、第１の低周波数トランスデューサ１０１のバッフルと第２の低周波数トランスデューサ１０３のバッフルとの間に移行を提供する。高周波数サウンドトランスデューサ１０５のバッフルは、実際、低周波数トランスデューサ１０１、１０３の２つのバッフルにより形成される辺であると考えられる。例えば、低周波数サウンドトランスデューサ１０１、１０３のバッフル間の丸みを帯びたまたはスムースな移行を、高周波数サウンドトランスデューサ１０５のバッフルとして用いることができる。低周波数サウンドトランスデューサ１０１、１０３間の移行部分に高周波数サウンドトランスデューサ１０５を配置することにより、指向性が低くするには好ましい。
【００７７】
高周波数サウンドトランスデューサバッフルは、このように、他のバッフルの間にあるので、高周波数サウンドトランスデューサ１０５が２つの低周波数トランスデューサ１０１、１０３の間にあることになる。この例では、３つのサウンドトランスデューサ１０１、１０３、１０５は、第１の低周波数サウンドトランスデューサ１０１の軸方向の点から見た時に、それらの中心点、具体的にはそれらの音響中心がほぼ一列になるように、合わせられている（aligned）。さらに、スピーカ装置が動作位置にある時（すなわち、使用される時）、このラインはほぼ垂直である。しかし、言うまでもなく、ある実施形態では、一または複数のトランスデューサはオフセットされ、例えばバッフル中で横向きになっていてもよい。しかし、使用時、高周波数サウンドトランスデューサ１０５の音響中心の垂直位置は、第１の低周波数トランスデューサ１０１の垂直位置と、第２の低周波数トランスデューサ１０３の垂直位置との間にある。
【００７８】
本構成では、トランスデューサ１０１、１０３、１０５の間の距離は非常に近く、実際、多くの実施形態では、スピーカ間の距離はできるだけ小さくされる。具体的に、サウンドトランスデューサの音響中心間の距離は実際的にできるだけ小さくされる。実際、多くの実施形態では、２つの低周波数サウンドトランスデューサ１０１、１０３の音響中心間の距離は、第１の音響トランスデューサ１０１（及び／または第２の音響トランスデューサ１０３）の最大寸法の３倍より小さい。また、第１と第２のサウンドトランスデューサ１０１、１０３の間の最小距離は、第３のサウンドトランスデューサ１０５の最大寸法（一般的には直径）の３倍より小さい。
【００７９】
スピーカ装置は、このように、サウンドトランスデューサの音響中心が互いに非常に近くなるように構成される。これにより、非常にコンパクトなスピーカユニットが提供できるが、より重要なことは、各サウンドトランスデューサによりレンダリングされるサウンド間の相互作用が改善される。具体的に、レンダリングされたサウンドは位相が近く、時間的に合っている（time  alignment）。
【００８０】
スピーカ装置のクロスオーバ周波数は、個々のトランスデューサが最も良い性能を示す周波数レンジで用いられるように、選択できる。このように、オーディオバンドのレンダリングを良くするようにクロスオーバ周波数を選択できる。多くの実施形態では、クロスオーバ周波数は、有利にも１．５ｋＨｚないし３ｋＨｚの区間にある。
【００８１】
しかし、また、クロスオーバ周波数は、単一のサウンドトランスデューサではなく、２つのサウンドトランスデューサ１０１，１０３からの低周波数レンジのレンダリングにより、許容できない意図しない劣化を生じないように、選択される。
【００８２】
具体的に、低い方の周波数レンジと高い方の周波数レンジは、音速を第１音響中心と第２音響中心との間の距離で割って２をかけたものよりも高くないように設計される。結局、第１音響中心と第２音響中心との間の距離は、クロスオーバ周波数に対応する波長の２倍より長くないように限定される。
【００８３】
このように、スピーカ装置は要求
【００８４】
【数１】
2014519293.tif 000003
を満たすように設計される。ここで、ｆｃはクロスオーバ周波数であり、ｃは（例えば、２０°で測定した）音速であり、Ｄは低周波数サウンドトランスデューサ１０１，１０３の音響中心の間の距離である。
【００８５】
多くの実施形態において、スピーカ装置は有利にもより厳しい要求
【００８６】
【数２】
2014519293.tif 000004
を満たす。
【００８７】
クロスオーバ周波数を音響中心間の距離に対して十分小さく維持することにより、２つの低周波数サウンドトランスデューサ１０１、１０３からの放射サウンド間の干渉が十分小さく維持される。具体的に、サウンド放射が関連するすべての方向において十分コヒーレントにでき、２つの音源間の破壊的干渉が十分小さく保たれる。
【００８８】
上記の例では、スピーカ装置は増幅をしないパッシブスピーカ装置である。実際、サウンドトランスデューサ１０１、１０３、１０５の駆動は、パッシブクロスオーバフィルタ３０１を介したものである。しかし、言うまでもなく、他の実施形態では、スピーカ装置は、サウンドトランスデューサ１０１、１０３、１０５用のアクティブ駆動回路を有するアクティブスピーカ装置であってもよい。かかる駆動は、例えば、図３のクロスオーバフィルタ３０１の前のパワーアンプにより提供される。他の実施形態では、各サウンドトランスデューサは、個々に増幅をされてもよい。これの一例を図４に示した。各サウンドトランスデューサ１０１、１０３、１０５に対して、クロスオーバフィルタの後段にパワーアンプ４０１、４０３、４０５が設けられている。かかる構成の利点は、クロスオーバフィルタ３０１が低パワーで動作し、実際に、各サウンドトランスデューサ１０１、１０３、１０５のための様々な信号処理が低パワーで実行できることである。
【００８９】
ある実施形態では、高周波数サウンドトランスデューサ１０５の信号は、低周波数サウンドトランスデューサ１０１、１０３の信号と比較して、遅れていても良い。
【００９０】
かかる実施形態の一例を図５に示した。これは図４の例に対応するが、高周波数サウンドトランスデューサ１０５の信号経路に遅延を含む。高周波数サウンドトランスデューサ１０５の駆動信号は、この例では、低周波数サウンドトランスデューサ１０１、１０３の駆動信号に対して遅れている。遅延５０１は任意の好適な方法で実装でき、例えば、アナログまたはデジタルの遅延ライン（delay  line）である。
【００９１】
この例では、遅延は、異なるサウンドトランスデューサの音響中心からリスナまでの距離の違いを補正するものである。例えば、図６は、図１のスピーカ装置を示す。図６は、各サウンドトランスデューサ１０１、１０３、１０５が音響中心６０１、６０３、６０５を有することを示す。２つの低周波数サウンドトランスデューサ１０１、１０３の間の距離は比較的短いので、２つの低周波数サウンドトランスデューサ１０１、１０３は、２つの低周波数サウンドトランスデューサ１０１、１０３の音響中心６０１、６０３の間に音響中心６０７を有する単一のトランスデューサから（直接的に）サウンドを放射しているように見える。
【００９２】
高周波サウンドトランスデューサ１０５の音響中心６０５は、一般的に、２つの低周波数サウンドトランスデューサ１０１、１０３の組合せの音響中心６０７のさらに前方にある。それゆえ、高周波数サウンドトランスデューサ１０５からの直接サウンド波は、２つの低周波数サウンドトランスデューサ１０１、１０３からの直接サウンド波より進んでいる。したがって、このシステムは、高周波数サウンドトランスデューサ１０５への信号を遅延させて、放射されるサウンド波間の時間差を補正する。このように遅延により、放射されるサウンドの時間的コヒーレンスが改善し、それにより音質が改善される。
【００９３】
サウンド波間の実際の遅延は、リスナの位置に依存し、具体的にはリスナへの角度に（そして、そのためリスナの高さに）依存する。しかし、高周波サウンドトランスデューサ１０５の音響中心６０５と、低周波数サウンドトランスデューサ１０１、１０３の音響中心６０１、６０３貫の中点６０７との間の距離に対応して決定できる。対応する遅延は、Δ＝ｄ／ｃで決定できる。ここで、ｄは音響中心間の距離であり、ｃは音速である。名目的遅延は、具体的には、高周波数サウンドトランスデューサ１０５の軸方向１１３に沿ったリスナに対する直接波の遅延に対応する。遅延は他の位置に応じて変わるが、典型的にはこの名目的遅延がよい近似となる。
【００９４】
したがって、高周波数サウンドトランスデューサ１０５の遅延は、一般的には、有利にも、名目的遅延Δの２倍より小さく、一般的には、有利にも、名目的遅延Δの７０％より大きく１３０％より小さい。
【００９５】
これにより、サウンドレンダリングが十分に時間的にコヒーレントであると感じる結果となる。
【００９６】
図１と図２の例では、スピーカ装置は比較的簡単な筐体に実装される。しかし、実施形態によっては、形状がもっと複雑な筐体を用いて、レンダリングされるオーディオの音質を改善してもよい。
【００９７】
ある実施形態では、高周波数サウンドトランスデューサ１０５のバッフルは、低周波数サウンドトランスデューサ１０１、１０３のバッフルと比較して、狭くなっていても良い。具体的に、高周波数サウンドトランスデューサ１０５の軸方向１１３と、低周波数サウンドトランスデューサ１０１、１０３の音響中心間の軸６０９とを含む平面に直角に測った、バッフルの寸法は、同じ方向で測った（すなわちこの平面に直角に測った）低周波数サウンドトランスデューサの寸法より小さくてもよい。  図７は、かかる一実施形態の一例を示す図である。この例は、図２のフロントビューに対応し、高周波数サウンドトランスデューサ１０５のバッフルを小さく（narrowing）したものである。一般的には、小さくしたのはバッフルの前面であり、バッフルは後に下がっている。バッフルのプロファイルは、曲がっており、具体的には図８に示したようにカーブアウェイ（curve  away）している。図８は、高周波数サウンドトランスデューサ１０５の中心点の高さにおける上断面図である。
【００９８】
ある実施形態では、低周波数サウンドトランスデューサバッフルの一方または両方は、曲がったプロファイルを有する。例えば、図９に示したように、断面は低周波数から後ろ向きに曲がったバッフルに対応するプロファイルを有する。
【００９９】
説明したスピーカ装置は、多くのシナリオで有利なサウンドレンダリングを提供する。具体的には、本アプローチは、リスニング位置に向けてサウンドをよりよくフォーカスできる。
【０１００】
例えば、特許文献１のスピーカ装置と比較して、説明したスピーカ装置は、サウンドのフォーカシングが向上し、サウンドステージの知覚が改良され、音響環境における変化に対する感度が下がる。
【０１０１】
例えば、図１０は、特許文献１のスピーカ装置における単一の上向き低周波数トランスデューサ（ウーファ）の水平方向の測定を示す。ローパストランスデューサは無指向性音源に近い振る舞いをし、大量のサウンドエネルギーがスピーカボックスの背後に（１８０°）送られる。これにより、部屋の背壁からの反射により、望ましくない着色が起こる。
【０１０２】
図１１は、前述のように、２つの低周波数トランスデューサ装置の方向性の測定を示す。図から分かるように、５００Ｈｚないし２ｋＨｚの重要な周波数区間では、スピーカの背後に向けて送られるエネルギーが大幅に減る。このため、音質が改善される。
【０１０３】
図１２は、特許文献１のスピーカ装置における上向き低周波数トランスデューサ（ウーファ）のフロント（０°）からバック（１８０°）への垂直方向性の測定の一例を示す。この装置は、７００Ｈｚと２ｋＨｚの間で強いエネルギーが天井（９０°）に送られ、最大エネルギーは低周波数トランスデューサ（この例では６０°）の軸方向となり、大きなサウンドエネルギーがスピーカボックスの後に送られることを示す。
【０１０４】
図１３は、前述のように、２つの低周波数トランスデューサ構成の、対応するフロント（０°）からバック（１８０°）の垂直指向性を示す。図から分かるように、より少ないサウンドエネルギーが天井方向と、スピーカボックスのリア方向に送られる。最大エネルギーは３０°であり、２つの低周波数トランスデューサの軸方向の間のメジアン方向である。この装置では、２つの低周波数トランスデューサが合成され、（低周波数トランスデューサ間の角度が６０°の場合、）水平方向＋／−９０°、垂直方向＋／−３０°のリスニング角度から点音源に近い指向性パターンを提供する。
【０１０５】
本発明は多くの形態で実施することができる。本発明の実施形態の構成要素は、いかなる好適な方法で物理的、機能的、論理的に実施してもよい。機能は単一のユニット、複数のユニット、または他の機能ユニットの一部として実施することもできる。
【０１０６】
実施形態に関して本発明を説明したが、ここに記載した具体的な形態に限定することを意図したものではない。むしろ、本発明の範囲は添付した請求の範囲のみにより限定される。また、具体的な実施形態に関して構成を説明したように見えるかも知れないが、当業者には言うまでもなく、説明した実施形態の様々な構成を、本発明により、組み合わせることができる。請求項では、「有する」という用語は他の要素やステップの存在を排除するものではない。
【０１０７】
さらに、個別的に列挙されていても、複数の手段、要素、方法ステップは、例えば単一のユニットまたはプロセッサにより実施してもよい。また、個々の機能（feature）は異なる請求項に含まれていても、これらを有利に組み合わせることが可能であり、異なる請求項に含まれていても、機能を組み合わせられないとか、組み合わせても有利ではないということを示唆するものでもない。また、ある構成をあるカテゴリーのクレームに含めたとしても、そのカテゴリーに限定することを意味するのではなく、むしろその構成が必要に応じて他のクレームカテゴリーにも等しく適用できることを示すものである。さらに、クレーム中の構成の順序は、その構成が機能しなければならない特定の順序を示すものではなく、特に、方法クレームにおける個々のステップの順序はそのステップがこの順序で実行されなければならないことを示すものではない。むしろ、ステップは任意の好適な順序で実行してもよい。また、単数扱いをしても複数の場合を排除するものではない。よって、「１つの」、「第１の」、「第２の」等は複数の場合を排除するものではない。請求項中の参照符号は、明りょうにするために設けており、請求項の範囲を限定するものと解してはならない。
【図１】
2014519293.tif 000005
【図２】
2014519293.tif 000006
【図３】
2014519293.tif 000007
【図４】
2014519293.tif 000008
【図５】
2014519293.tif 000009
【図６】
2014519293.tif 000010
【図７】
2014519293.tif 000011
【図８】
2014519293.tif 000012
【図９】
2014519293.tif 000013
【図１０】
2014519293.tif 000014
【図１１】
2014519293.tif 000015
【図１２】
2014519293.tif 000016
【図１３】
2014519293.tif 000017
【手続補正書】
【提出日】平成25年12月10日(2013.12.10)
【手続補正１】
【補正対象書類名】特許請求の範囲
【補正対象項目名】全文
【補正方法】変更
【補正の内容】
【特許請求の範囲】
【請求項１】
低周波数範囲でサウンドを再生し、第１の軸方向と第１の中心点とを有する第１のサウンドトランスデューサと、
前記低周波数範囲でサウンドを再生し、第２の軸方向と第２の中心点とを有する第２のサウンドトランスデューサと、
高周波数範囲でサウンドを再生し、第３の軸方向と第３の中心点とを有する第３のサウンドトランスデューサと、を有するスピーカ装置であって、
第３のサウンドトランスデューサは、前記第１のサウンドトランスデューサ及び前記第２のサウンドトランスデューサとの間に配置され、
前記第１の軸方向と前記第２の軸方向の間の第１の角度は２０°と１２０°との間であり、
前記第１の軸方向と前記第３の軸方向の間の第２の角度は前記第１の角度より小さく、
前記第１の軸方向と第２の軸方向とは前記第１のサウンドトランスデューサと第２のサウンドトランスデューサ１０５との後で交差する
スピーカ装置。
【請求項２】
前記第２の角度は前記第１の角度の２５％より小さくない、請求項１に記載のスピーカ装置。
【請求項３】
前記第２の角度は前記第１の角度の７５％より大きくない、請求項１に記載のスピーカ装置。
【請求項４】
前記低い方の周波数レンジと高い方の周波数レンジとの間のクロスオーバ周波数は、音速を、前記第１の音響中心と前記第２の音響中心との間の距離で割って２をかけたものよりも高くない、請求項１に記載のスピーカ装置。
【請求項５】
前記第１、第２及び第３のサウンドトランスデューサを駆動する駆動回路をさらに有し、
前記駆動回路は、前記第１のサウンドトランスデューサに対して前記第３のサウンドトランスデューサの遅延を提供する、請求項１に記載のスピーカ装置。
【請求項６】
前記遅延は前記第３の音響中心と、前記第１の音響中心と前記第２の音響中心との間の中点との間の長さを音速で割ったものに対応する名目的遅延の２倍より大きくない、請求項５に記載のスピーカ装置。
【請求項７】
前記遅延は前記名目的遅延の７０％より小さくなく、前記名目的遅延の１３０％より大きくない、請求項６に記載のスピーカ装置。
【請求項８】
前記駆動回路は、前記第１のサウンドトランスデューサと前記第２のサウンドトランスデューサとをほぼ同じに駆動するように構成される、請求項５に記載のスピーカ装置。
【請求項９】
さらに筐体を有し、前記筐体は、
前記第１のサウンドトランスデューサが取り付けられる第１のバッフルと、
前記第２のサウンドトランスデューサが取り付けられる、前記第１のバッフルに対して角度をなす第２のバッフルと、
前記第３のサウンドトランスデューサが取り付けられる、前記第１のバッフルと前記第２のバッフルとの間の移行を提供する第３のバッフルとを有する、請求項１に記載のスピーカ装置。
【請求項１０】
前記第３の軸方向と、前記第１の音響中心及び前記第２の音響中心の間の軸とに直角な前記第３のバッフルの寸法は、前記第１の軸方向と、前記第１の音響中心及び前記第２の音響中心の間の軸とに直角な前記第１のバッフルの寸法より小さい、請求項９に記載のスピーカ装置。
【請求項１１】
前記第１のバッフル、第２のバッフル、第３のバッフルのうち少なくとも１つは、曲がったプロファイルを有する、請求項９に記載のスピーカ装置。
【請求項１２】
前記第３のバッフルと前記第３のサウンドトランスデューサは、前記第１のサウンドトランスデューサと前記第２のサウンドトランスデューサとに対して対称である、請求項９に記載のスピーカ装置。
【請求項１３】
前記第１の音響中心と前記第２の音響中心との間の距離は、前記第１の音響トランスデューサの最大寸法の３倍より小さい、請求項１に記載のスピーカ装置。
【請求項１４】
前記第１のサウンドトランスデューサと前記第２のサウンドトランスデューサとの間の最小距離は、前記第３のサウンドトランスデューサの最大寸法の３倍より小さい、請求項１に記載のスピーカ装置。
【請求項１５】
スピーカ装置を提供する方法であって、
低周波数範囲でサウンドを再生し、第１の軸方向を有する第１のサウンドトランスデューサを設ける段階と、
低周波数範囲でサウンドを再生し、第２の軸方向を有する第２のサウンドトランスデューサを設ける段階と、
高周波数範囲でサウンドを再生し、第３の軸方向を有する第３のサウンドトランスデューサを設ける段階と、を有し、
第３のサウンドトランスデューサは、前記第１のサウンドトランスデューサ及び前記第２のサウンドトランスデューサとの間に配置され、
前記第１の軸方向と前記第２の軸方向の間の第１の角度は２０ーと１２０ーとの間であり、
前記第１の軸方向と前記第３の軸方向の間の第２の角度は前記第１の角度より小さく、前記第１の軸方向と第２の軸方向とは前記第１のサウンドトランスデューサと第２のサウンドトランスデューサ１０５との後で交差する方法。
【手続補正２】
【補正対象書類名】明細書
【補正対象項目名】０００９
【補正方法】変更
【補正の内容】
【０００９】
本発明の一態様では、スピーカ装置が提供される。該スピーカ装置は、低周波数範囲でサウンドを再生し、第１の軸方向と第１の音響中心とを有する第１のサウンドトランスデューサと、前記低周波数範囲でサウンドを再生し、第２の軸方向と第２の中心点とを有する第２のサウンドトランスデューサと、高周波数範囲でサウンドを再生し、第３の軸方向と第３の中心点とを有する第３のサウンドトランスデューサと、を有するスピーカ装置であって、第３のサウンドトランスデューサは、前記第１のサウンドトランスデューサ及び前記第２のサウンドトランスデューサとの間に配置され、前記第１の軸方向と前記第２の軸方向の間の第１の角度は２０°と１２０°との間であり、第１の軸方向と第３の軸方向の間の第２の角度は第１の角度より小さく、前記第１の軸方向と第２の軸方向とは前記第１のサウンドトランスデューサと第２のサウンドトランスデューサ１０５との後で交差する。
【手続補正３】
【補正対象書類名】明細書
【補正対象項目名】００４７
【補正方法】変更
【補正の内容】
【００４７】
本発明の一態様では、スピーカ装置を提供する方法を提供する。該方法は、低周波数範囲でサウンドを再生し、第１の軸方向と第１の音響中心とを有する第１のサウンドトランスデューサを提供する段階と、前記低周波数範囲でサウンドを再生し、第２の軸方向と第２の中心点とを有する第２のサウンドトランスデューサを提供する段階と、高周波数範囲でサウンドを再生し、第３の軸方向と第３の中心点とを有する第３のサウンドトランスデューサを提供する段階とを有し、第３のサウンドトランスデューサは、前記第１のサウンドトランスデューサ及び前記第２のサウンドトランスデューサとの間に配置され、前記第１の軸方向と前記第２の軸方向の間の第１の角度は２０°と１２０°との間であり、第１の軸方向と第３の軸方向の間の第２の角度は第１の角度より小さく、前記第１の軸方向と第２の軸方向とは前記第１のサウンドトランスデューサと第２のサウンドトランスデューサ１０５との後で交差する。
【国際調査報告】
2014519293.tif 000018
2014519293.tif 000019
2014519293.tif 000020
2014519293.tif 000021
2014519293.tif 000022